(57)【特許請求の範囲】
【請求項１】
低位置において屋根部（５）を組み立てるとともに、その屋根部（５）の周部に屈折状態の梁（１６）の一端部を連結し、かつ、他端部を固定部（４）に連結し、その後、地上に設置した第１ジャッキ（１７）を介して前記梁（１６）を伸展させつつ屋根部（５）を設定位置まで持ち上げ、持ち上げ後、前記梁（１６）に設けた第２ジャッキ（１８）を介して所定の姿勢にまで前記梁（１６）を伸展させることにより屋根部（５）を所定の位置にまで持ち上げて前記梁（１６）を介して屋根部（５）を固定部（４）に支持させる屋根構築方法。
【請求項２】
対象となる屋根部（５）がドームであり、その屋根部（５）の外周部に設けたテンションリング（８）の一部を固定部（４）に直接に支持させた状態でその支持部を支点としてテンションリング（８）が対地傾斜姿勢に位置するように屋根部（５）を上方に持ち上げ回転する請求項１記載の屋根構築方法。
【請求項３】
梁（１６）の複数個を周方向に分散配置した状態で持ち上げる請求項２記載の屋根構築方法。
【発明の詳細な説明】
【０００１】
【発明の属する技術分野】
本発明は、低位置においてドームなどの屋根部を組み立て、その後、その屋根部を所定の位置にまで持ち上げて固定部に支持させる屋根構築方法に関する。
【０００２】
【従来の技術】
この種の屋根構築方法によると、屋根部を低位置で組み立てるから、その屋根部の組み立てを作業性良く行える利点がある。
【０００３】
そのような屋根構築方法として、従来では、特開平８‐１５８４８７号公報で見られるように、地上に設置したジャッキで屋根部を所定の位置まで持ち上げ、その状態で固定部に支持させていた。
【０００４】
【発明が解決しようとする課題】
しかし、上記従来の技術によるときは、地上に設置したジャッキで屋根部を所定の位置にまで持ち上げるから、ジャッキとして、ストロークの大きな大型なものが必要で、ジャッキの設置作業性が悪かった。
【０００５】
本発明の目的は、ジャッキの設置作業性に優れた屋根構築方法を提供する点にある。
【０００６】
【課題を解決するための手段】
請求項１に係る本第１発明の特徴、作用、効果は次の通りである。
【０００７】
〔特徴〕
低位置において屋根部を組み立てるとともに、その屋根部の周部に屈折状態の梁の一端部を連結し、かつ、他端部を固定部に連結し、その後、地上に設置した第１ジャッキを介して前記梁を伸展させつつ屋根部を設定位置まで持ち上げ、持ち上げ後、前記梁に設けた第２ジャッキを介して所定の姿勢にまで前記梁を伸展させることにより屋根部を所定の位置にまで持ち上げて前記梁を介して屋根部を固定部に支持させる点にある。
【０００８】
〔作用〕
本第１発明によるときは、地上に設置した第１ジャッキにより梁を伸展させつつ屋根部を設定位置まで持ち上げた後、梁に設けた第２ジャッキにより梁を所定の姿勢にまで進展させることで屋根部を所定の位置にまで持ち上げるから、第１ジャッキとして所定の位置よりも低い設定位置にまで屋根部を持ち上げるだけのストロークの小さな小型のもので済む。
【０００９】
しかも、第２ジャッキにより梁を屈折状態から所定姿勢まで伸展させるのではなく、第１ジャッキによる設定位置への屋根部持ち上げに伴い梁がある程度伸展した状態から所定姿勢にまで伸展させるから、梁を屈折状態から所定姿勢まで伸展させて屋根部を持ち上げる場合に比較して、梁を伸展させての屋根部持ち上げに伴い第２ジャッキに作用する負荷を軽減することができることにより、第２ジャッキを用いながらも、第２ジャッキとして小型のもので済む。
【００１０】
〔効果〕
従って、本第１発明によれば、地上に設置した第１ジャッキのみならず、梁に設けた第２ジャッキを用いながらも、第１ジャッキ及び第２ジャッキとしてともに小型なものを用いることができ、ジャッキの設置作業性を優れたものにできるようになった。
【００１１】
請求項２に係る本第２発明の特徴、作用、効果は次の通りである。
【００１２】
〔特徴〕
上記本第１発明の特徴において、対象となる屋根部がドームであり、その屋根部の外周部に設けたテンションリングの一部を固定部に直接に支持させた状態でその支持部を支点としてテンションリングが対地傾斜姿勢に位置するように屋根部を上方に持ち上げ回転する点にある。
【００１３】
〔作用〕
屋根部がドームである場合、屋根部の外周部に設けたテンションリングを対地傾斜姿勢に配置するように屋根部を設置すると、屋根部の大きさ、つまり、敷地面積の割りには、屋根中心から距離を隔てた箇所の屋根高さを高くすることができる。このような屋根は、ホームベース付近上の屋根高さを設定以上にしたいドーム化した野球場の屋根として好適である。
【００１４】
本第２発明によるときは、ドームである屋根部を、そのテンションリングが対地傾斜姿勢に位置する状態に設置することができる。
【００１５】
〔効果〕
従って、本第２発明によれば、野球場のドーム化に好適な方法を提供できるようになった。
【００１６】
請求項３に係る本第３発明の特徴、作用、効果は次の通りである。
【００１７】
〔特徴〕
上記本第２発明の特徴において、梁の複数個を周方向に分散配置した状態で持ち上げる点にある。
【００１８】
〔作用〕
本第３発明によるときは、複数の梁を周方向に分散配置した状態で屋根部を持ち上げるから、屋根部の姿勢を安定させて屋根部を持ち上げることができるのみならず、各梁に設ける第２ジャッキで持ち上げを分担することによる各第２ジャッキの負担の軽減化により各第２ジャッキを小型化できる。
【００１９】
〔効果〕
従って、本第３発明によれば、作業性良く屋根部を持ち上げることができるとともに、より一層、第２ジャッキの設置作業性を高めることができるようになった。
【００２０】
【発明の実施の形態】
ドームは、図１、図２に示すように、基礎１（図では場所打ち鉄筋コンクリート杭で示してある。）に支持された基礎テンションリング２に周方向複数の柱３を介して下部テンションリング４を支持させ、この下部テンションリング４に球面トラスドームに形成された屋根部５を支持させて構成されている。
【００２１】
前記基礎テンションリング２、柱３、下部テンションリング４は、鉄筋コンクリート造りのものである。
【００２２】
前記屋根部５は、鉄骨造りのものであって、図３に詳しく示すように、複数の立体トラス梁６を放射状に配置し、これら立体トラス梁６の中心側端部同士を複層トラス７で連結し、立体トラス梁６の外周側端部をテンションリング８に連結し、隣合う立体トラス梁６間に位置する単層トラス９を立体トラス梁６及び複層トラス７に支持させた骨組みを備え、この骨組みに透光性の屋根材１０を取り付けて構成されている。屋根材１０としては、膜材や板材を挙げることができる。
【００２３】
前記立体トラス梁６は、図４の（イ）（ロ）に示すように、一対の上部弦材６Ａと一つの下部弦材６Ｂとの三者を複数の斜材６Ｃを介して連結することで構成されており、内部には、デッキ１１を設けることで梁長手方向に沿ったメンテナンス通路１２が形成されている。
【００２４】
また、屋根部５のテンションリング８は、図１、図２に示すように、水平軸芯周りに片側を持ち上げた対地傾斜姿勢に位置する状態に配置されており、屋根部５を下部テンションリング４に支持させる手段は、テンションリング８の傾斜下端を下部テンションリング４に直接に載置支持させ、テンションリング８の他の部分を壁１３を介して下部テンションリング４に支持させる手段である。壁１３は、テンションリング８を下部テンションリング４に支持させる骨組みに壁材を取り付けて構成されている。
【００２５】
そして、前記基礎テンションリング２及び下部テンションリング４、テンションリング８は全て円形に構成されており、基礎テンションリング２及び下部テンションリング４は、屋根部５の屋根中心ＲＣと屋根部５の下傾斜上端とを含む円弧に連なる同一曲率の仮想円弧ａが下部テンションリング４の設置レベルＬと交わる点ｂよりも屋根中心ＲＣ側に位置するように配置されている。
つまり、図５に示すように、屋根部５に連なる仮想球面が下部テンションリング４の設置レベルＬと交わる点から形成される仮想円Ｃの内側に下部テンションリング４の大部分を位置させて、屋根部５と曲率及び高さが同じでテンションリングが水平に配置されているドーム屋根を備えたドームに比較してドーム中心ＤＣを屋根中心ＲＣ側に位置させることができ、これによって、野球場のドーム化を図る場合にホームベース付近上の屋根高さを所定以上にする際、屋根部５を水平に設置する場合に比較して敷地面積を小さくすることができる。
【００２６】
また、屋根部５の中心に位置する複層トラス７が、照明器具や放送設備、動力源などの設備機器を吊り下げ支持する器具吊り下げ部１４となっている。
【００２７】
前記屋根部５の構築方法を次に説明する。
〈１〉図６の（イ）に示すように、テンションリング８のうち傾斜下端となる部分、つまり、立体トラス梁６との連結部を下部テンションリング４に載置させかつ他の立体トラス梁６との連結部を地上に設置した架台１５に載置させる状態で、つまり、低位置において屋根部５を組み立てるとともに、その屋根部５の周部に周方向に間隔を隔てた箇所、つまり、立体トラス梁６との連結部それぞれに屈折状態の梁１６の一端部を連結し、かつ、各梁１６の他端部を固定部である下部テンションリング４に連結する。
前記梁１６は、図７の（イ）（ロ）（ハ）に示すように、水平第１軸芯Ｐ１周りに屈折伸展自在な外側梁材１６Ａと前記水平第１軸芯Ｐ１と平行な水平第２軸芯Ｐ２周りに屈折進展自在な内側梁材１６Ｂとの上下両端同士を枢支連結し、外側梁材１６Ａを内側梁材１６Ｂよりも長く設定することにより、水平第１軸芯Ｐ１と水平第２軸芯Ｐ２とを近づけることで屈折し、遠ざけて枢支連結点を含む平面内に水平第２軸芯Ｐ２を位置させることで最長姿勢に伸展するように構成されている。この梁１６は、屋根部５の持ち上げ後も残置されて壁１３の骨組みとして作用する。
〈２〉図６の（ロ）に示すように、地上に設置した、詳しくは、架台１５に設置した第１ジャッキ１７を介して前記梁１６を伸展させつつテンションリング８を、下部テンションリング４への載置部を支点として設定位置まで持ち上げ回転させる。
〈３〉図６の（ハ）に示すように、前記梁１６に設けた第２ジャッキ１８を介して梁１６を所定の姿勢、つまり、内側梁材１６Ｂが直線状に伸びた最長姿勢にまで伸展させることにより、屋根部５を所定の位置まで持ち上げ回転させるとともに、第１ジャッキ１７を撤去する。
〈４〉梁１６を最長姿勢に固定して、この梁１６で屋根部５を下部テンションリング４に支持させるとともに、第２ジャッキ１８を撤去する。
【００２８】
〔別実施形態〕
上記実施の形態において、第２ジャッキ１８を撤去せずにそのまま残置させて壁１３を施工しても良い。
【００２９】
上記実施の形態では、屋根部５を傾けるように持ち上げたが、屋根部５を水平に持ち上げて水平に設置しても良い。
【００３０】
尚、特許請求の範囲の項に図面との対照を便利にする為に符号を記すが、該記入により本発明は添付図面の構成に限定されるものではない。
【図面の簡単な説明】
【図１】ドームの側面図
【図２】ドームの縦断側面図
【図３】屋根の平面図
【図４】立体トラスの縦断正面図と斜視図
【図５】ドームの横断平面図
【図６】屋根部の構築工程を示す断面図
【図７】梁の伸展動作を示す側面図
【符号の説明】
４    固定部
５    屋根部
８    テンションリング
１６  梁
１７  第１ジャッキ
１８  第２ジャッキ
【図１】
0003703324.tif 000002
【図２】
0003703324.tif 000003
【図３】
0003703324.tif 000004
【図４】
0003703324.tif 000005
【図５】
0003703324.tif 000006
【図６】
0003703324.tif 000007
【図７】
0003703324.tif 000008